(57)【要約】      （修正有） 【課題】家具の形状や高さ・大きさに対応し、より効率的な乾燥機能を達成する大型家具乾燥袋を提供する。【解決手段】軟質性耐熱性素材を用いて作成され、天面部１と中間部２と下面部３を一体化させることにより袋状態として大型家具を包みこむ構造としたもので、家具形状や高さにより、中間部２を複数使用又は中間部２を使用しないことにより、家具の大きさに合わせ袋高さを変更可能とする。【選択図】図１
0003176990.tif 000002
【実用新案登録請求の範囲】
【請求項１】
軟質性耐熱性素材を用いて作成され、天面部１と中間部２と下面部３を一体化させることにより袋状態として大型家具を包みこむ構造としたもので、家具形状や高さにより、中間部２を複数使用又は中間部２を使用しないことにより、家具の大きさに合わせ袋高さの変更可能を特徴とした大型家具乾燥用袋。
【請求項２】
温風乾燥機本体の接続台数や脱気口数を家具形状にあわせ、袋外側にある接続部を取付部品交換することにより、自由に変更できる請求項１に記載の大型家具乾燥用袋。
【考案の詳細な説明】
【技術分野】
【０００１】
本発明は乾燥機本体に接続される大型家具乾燥袋に関するものである。
【背景技術】
【０００２】
一般に、室内で乾燥するために、乾燥機本体と接続される通気性や収湿性のある袋に温風を送り込む乾燥袋が利用されている。（例えば特許文献１）
【０００３】
従来、ベットマットや布団などを乾燥する乾燥用袋は図５に示すような方法が一般的であり、それらの乾燥袋は従来よりベットマットや布団サイズを前提とした大きさのものである。
【先行技術文献】
【特許文献】
【０００４】
【特許文献１】特開平８−２００９４６
【考案の概要】
【考案が解決しようとする課題】
【０００５】
従来の乾燥方法として上記特許文献１にあるように、ベットマットや布団・敷布に乾燥袋を挟み込む方法や袋状にして全体を包み乾燥させる方法があるが、袋の大きさは対象とするベットマットや布団サイズを基本としている構造であり、大型ソファーやベッド本体などの大型家具を温風加熱し除湿することが困難であるという課題を有していた。
【課題を解決するための手段】
【０００６】
本考案は大型家具形状や大きさに応じた乾燥目的を達成するため、乾燥袋を本体天面部１、中間部２、下面部３の複数部品使用の多層構造とするものである。
このうち中間部２は上下連結領域として複数つなぐことも、使用しないこともできる。
【０００７】
また、製品形状に応じ均一した乾燥を行うための手段として、乾燥機本体からの温風取り込み口を製品形状などに応じ複数個所接離を可能とする構造である。
【０００８】
同時に、製品形状に応じた乾燥をするために複数有した温風取り組み口の接続部部品交換により、除湿脱気口活用し袋内温風循環を任意変更できる構造とするものである。
【考案の効果】
【０００９】
本考案は上記の構成により大型ソファーやベット本体などの高さにも合わせ、分割した袋の中間部２（連結領域）を複数使用する事により大型家具を包み込むことで温風乾燥できるものである。
【００１０】
また、乾燥目的の家具高さや形状に応じ乾燥袋のどの面位置からも乾燥機本体からの温風取り込みを可能な構造として、袋全方向からの乾燥機本体接続を複数可能とし、対象となる家具全体に温風が供給されるよう、除湿脱気口を家具形状に応じ開放できる構造として、全体に温風がゆきわたり乾燥するものである。
【図面の簡単な説明】
【００１１】
【図１】本件考案の大型家具乾燥用袋を示した説明図である
【図２】本件考案の大型家具乾燥用袋にある複数の接続部の説明図である
【図３】接続部品と用途別交換部品の説明図である
【図４】乾燥袋中間部を複数連結し、袋を大きくした場合の説明図である
【図５】一般的な布団乾燥機を示す
【考案を実施するための形態】
【００１２】
本考案は上記した大型家具の形状や高さに応じ、乾燥袋の中間部２を複数連結、又は中間部２を使用しない事により袋高さサイズの変更可能にしたものである。
【００１３】
本考案の乾燥袋は大型家具を包み込み、温風加圧されることにより袋外形を保つ構造である。しかし、中間部２を複数連結し袋の高さを大きくした場合には、安全上の配慮と大型家具保護を目的に、補強材を取り付けることもできる。
【００１４】
また、家具形状や高さ・大きさにより乾燥機本体から送付される温風を複数の取り組み口から取り入れることと、家具形状を勘案し任意方向に脱気口を開放する事により、形状に応じ大量の温風を効率よく循環させることを可能とし、全体に温風をゆきわたらせ、大型家具の乾燥時間を短縮させ、暖めた水分は外部に放散されるものである。
【実施例】
【００１５】
以下、本考案の実施例について、図１を参照しながら説明する。図１に示すように、大型家具乾燥用袋は天面部１と中間部２をファスナーやマジックテープ（登録商標）等で連結し、中間部２と下面部３も同様に連結することにより袋状となり、大型家具形状や高さ・大きさに応じた袋として対応できるようになっている。
【００１６】
上記構成により、まず大型家具の下に下面部３を広げ家具を下面部に乗せる、家具形状の高さ・大きさにより中間部２を必要数連結し、大型家具全体を覆う位置で天面部１を連結することで大型家具の包みこみを可能にし、同時に乾燥時の位置安定は、大型家具本体自重により安定する。
【００１７】
また、大型家具の形状や高さ大きさにより、家具本体の保護を必要とする場合には、袋内部・外部に伸縮パイプなどで補強を行い、袋形状を保持することもできる。
【００１８】
つぎに本考案の実例について、図２及び図３を参照にしながら説明する。家具形状と高さ・大きさから施工者が任意判断を行い、袋各面の接続部４には通常閉鎖部品９が取付枠部品８で取り付けられているが、任意判断を行い、部品取付口７から取付枠部品８を取り外し、そこへ乾燥機取付部品１１を取付け、温風送風機本体５の温風通路を接続ことにより温風が供給される。
【００１９】
上記構成により、接続部乾燥機取付部品１１を取り付けた位置から、温風送風機本体５より温風が供給され、全体に循環される構造であるが、家具形状により温風循環が阻害されることを勘案し、必要に応じ袋各面接続部４に閉鎖部品９又は脱気部品１０を数にこだわりなく適所に装着することにより、家具形状に対応した温風循環効果を高めることができる。
【００２０】
尚、目的とする家具が天面部より大きい場合には天面部を側面部として使用し中間部を複数連結することにより対応することにより、乾燥室として活用することも可能である。
【産業上の利用可能性】
【００２１】
以上の実施例から明らかなように、本考案は高さのあるソファーやベット本体とベットマットなどを同時に、目的対象の形状を勘案し効果的に乾燥できる大型家具乾燥用を提供するものである。
【符号の説明】
【００２２】
１    大型家具乾燥用袋  天面部
２    大型家具乾燥用袋  中間部
３    大型家具乾燥用袋  下面部
４    接続部
５    温風乾燥機本体
６    袋本体
７    接続部 部品取付口
８    取付枠部品
９    閉鎖部品
１０    脱気部品
１１    乾燥機 取付部品
１２    ベット本体
１３    ベットマット
１４    マットレス
１５    掛け布団
１６    乾燥袋
１７    敷布団
【図１】
0003176990.tif 000003
【図２】
0003176990.tif 000004
【図３】
0003176990.tif 000005
【図４】
0003176990.tif 000006
【図５】
0003176990.tif 000007